(57)【要約】本発明は、ＣＩＦを割り当てることによって、基地局とユーザ機器との間のキャリアコンポーネントをスケジューリングする解決策を提供する。本発明の一実施形態では、基地局においてユーザ機器のキャリアコンポーネントをスケジューリングする方法であって、ユーザ機器のセルを構成するための構成メッセージを送信するステップであって、構成メッセージが各セルのキャリア識別のためのそれぞれの第１の情報を含む、ステップを含む方法が提供される。本発明において提供される技術的な解決策は、キャリアコンポーネント割当ての柔軟性を保証することができる。
2013537768.tif 000002
【特許請求の範囲】
【請求項１】
基地局において、ユーザ機器のキャリアコンポーネントをスケジューリングする方法であって、
前記ユーザ機器のセルを構成するための構成メッセージを送信することを含み、前記構成メッセージが、各セルのキャリア識別のためのそれぞれの第１の情報を備える、方法。
【請求項２】
前記ユーザ機器の前記セルが、クロススケジューリング・プライマリセルを備え、前記構成メッセージが、前記プライマリセルがサービス提供することを意図している１つまたは複数のセカンダリセルの１つまたは複数のセルインデックスを示す、前記プライマリセルの第２の情報を備える、請求項１に記載の方法。
【請求項３】
前記ユーザ機器の前記セルが、クロススケジューリング・セカンダリセルを備え、前記構成メッセージが、前記セカンダリセルにサービス提供するセルの前記セルインデックスを示す第３の情報をさらに備える、請求項１に記載の方法。
【請求項４】
前記ユーザ機器の前記セルが、クロススケジューリング・セカンダリセルを備え、前記構成メッセージが、前記セカンダリセルがサービス提供することを意図している１つまたは複数の他のセカンダリセルの１つまたは複数のセルインデックスを示す、前記セカンダリセルの第２の情報をさらに備える、請求項１に記載の方法。
【請求項５】
前記構成メッセージが、前記第１の情報が必須か任意選択かを示す第４の情報をさらに備える、請求項１乃至４のいずれか１項に記載の方法。
【請求項６】
基地局において、ユーザ機器のキャリアコンポーネントをスケジューリングする方法であって、
前記ユーザ機器のハンドオーバのためのハンドオーバ・コマンドを送信することを含み、前記ハンドオーバ・コマンドが、それぞれのセルの、キャリア識別に利用される第１の情報を搬送する情報要素を備える、方法。
【請求項７】
前記ハンドオーバ・コマンドが、クロススケジューリングセルの前記第１の情報を備え、１つまたは複数の残りのクロススケジューリングセルの前記第１の情報が、前記第１の情報に従って推論できる、請求項６に記載の方法。
【請求項８】
前記ハンドオーバ・コマンドが、対応するセルの前記第１の情報が必須か任意選択かを示す、それぞれのセルの第４の情報を備える、請求項６または７に記載の方法。
【請求項９】
基地局において、ユーザ機器のキャリアコンポーネントをスケジューリングする方法であって、
前記ユーザ機器のプライマリセル変更に関連するＲＲＣレイヤメッセージを送信することを含み、前記ＲＲＣレイヤメッセージが、
セルのキャリア識別を示す第１の情報と、
前記セルによってサービス提供される１つまたは複数のセルの１つまたは複数のインデックスを示す第２の情報および前記セルにサービス提供するセルのインデックスを示す第３の情報のうちの少なくとも１つとを備える、方法。
【請求項１０】
前記ユーザ機器のクロススケジューリング・プライマリセルが、再構成されたセカンダリセルに変更され、前記ＲＲＣレイヤメッセージが、
前記再構成されたセカンダリセルの前記キャリア識別を示す前記第１の情報と、
前記再構成されたセカンダリセルによってサービス提供される前記１つまたは複数のセルの前記１つまたは複数のインデックスを示す前記第２の情報および前記再構成されたセカンダリセルにサービス提供する前記セルの前記インデックスを示す前記第３の情報のうちの少なくとも１つとを備える、請求項９に記載の方法。
【請求項１１】
前記ユーザ機器のクロススケジューリング・セカンダリセルが、新しいプライマリセルに変更され、前記ＲＲＣレイヤメッセージが、
前記新しいプライマリセルの前記キャリア識別を示す前記第１の情報と、
前記新しいプライマリセルによってサービス提供される前記１つまたは複数のセルの前記１つまたは複数のインデックスを示す前記第２の情報とを備える、請求項９に記載の方法。
【請求項１２】
前記ユーザ機器の再構成されたセルが、新しいプライマリセルに変更され、前記ＲＲＣレイヤメッセージが、
前記新しいプライマリセルの前記キャリア識別を示す前記第１の情報と、
前記新しいプライマリセルによってサービス提供される前記１つまたは複数のセルの前記１つまたは複数のインデックスを示す前記第２の情報とを備える、請求項９に記載の方法。
【請求項１３】
前記ＲＲＣレイヤメッセージが、前記セルの前記第１の情報が必須か任意選択かを示す、前記セルの第４の情報をさらに備える、請求項９乃至１２のいずれか１項に記載の方法。
【請求項１４】
それぞれのセルの前記第１の情報が、全ての構成されたセルのなかで、または同じダウンリンク・キャリアコンポーネントによってスケジューリングされた前記セルのなかで一意のものである、請求項１乃至１３のいずれか１項に記載の方法。
【発明の詳細な説明】
【技術分野】
【０００１】
本発明は、ワイヤレス通信技術に関し、より詳細には、キャリアアグリゲーションのシナリオにおける複数のキャリアコンポーネントのクロススケジューリングの技術に関する。
【背景技術】
【０００２】
ＬＴＥ−Ａでは、最大１００ＭＨｚのより広い帯域幅を使用して、より高いデータレート要件を満たす。後方互換性のために、１００ＭＨｚの帯域幅は複数のキャリアコンポーネントに分割され、それぞれのキャリアコンポーネントは２０ＭＨｚの最大幅を有する。したがって、それぞれのユーザは、最大５つのキャリアコンポーネントをサポートすることができる。それぞれのユーザ機器（ＵＥ）に対して、１つのプライマリキャリアコンポーネント（ＰＣＣ）および任意選択で１つまたは複数のセカンダリキャリアコンポーネント（ＳＣＣ）があり、プライマリキャリアコンポーネントは常にアクティブであり続ける。別の関連する概念は、３ＧＰＰによって採用されたプライマリセル（Ｐｃｅｌｌ）およびセカンダリセル（Ｓｃｅｌｌ）であり、プライマリセルはダウンリンク／アップリンクＰＣＣのペアを指し、セカンダリセルはダウンリンク／アップリンクＳＣＣのペアまたは単一のダウンリンク・キャリアを指す。プライマリセルはＲ８無線リソース制御（ＲＲＣ）接続手順によって確立され、セカンダリセルは新しいリリース−１０セカンダリセル追加メッセージによって確立される。それぞれのセカンダリセルが１つのセルインデックスを用いて割り当てられて、その対応するダウンリンク・キャリアコンポーネントおよびアップリンク・キャリアコンポーネントまたは対応するダウンリンク・キャリアを識別することが認められている。
【０００３】
１つのキャリアコンポーネントにおける物理ダウンリンク制御チャネル（ＰＤＣＣＨ）が１つまたは複数の他のキャリアコンポーネントのリソース情報を示すことができるように、ＬＴＥ−Ａキャリアアグリゲーションにはクロススケジューリングが認められている。この目的のため、キャリア識別フィールド（ＣＩＦ）がＰＤＣＣＨに挿入されて、リソース情報が配置されている１つまたは複数のターゲットキャリアコンポーネントを示す。ＣＩＦについての１つの基本的なコンセンサスは、ＣＩＦおよびセルインデックスを別々に定義すべきであるということである。別のコンセンサスは、システム情報ブロック２（ＳＩＢ２）によってリンクされた同じセルのダウンリンク／アップリンク・キャリアコンポーネントは同じダウンリンク・キャリアコンポーネントによってスケジューリングされるべきであるということである。また、ＣＩＦ割当ておよびスケジューリングについては、まだ結論が出ていない。
【０００４】
それぞれのキャリアコンポーネントに対する暗黙的なＣＩＦ割当てを採用する解決策が提案されている。例えば、ＣＩＦは、キャリアコンポーネントのセルインデックスまたはキャリアコンポーネントの周波数情報に基づいて決定される。そのような種類の暗黙的な割当てはシグナリングオーバーヘッドを節約するのに役立つが、ＵＥが５つのキャリアコンポーネントで構成される場合でも、せいぜい１５ビットしか節約することができないので、利得は非常に小さい。一方、セルインデックスに基づくこの暗黙的なＣＩＦ割当ては、ＣＩＦおよびセルインデックスを別々に定義すべきであるという現行のコンセンサスに違反する。別の欠点は、キャリアコンポーネントのＣＩＦが再構成される（例えば、キャリアコンポーネントのＣＩＦが、ダウンリンク・キャリアコンポーネントのあるＰＤＣＣＨから別のＰＤＣＣＨに再構成される）とき、この解決策が場合によっては仕様の複雑性をもたらすことがあり、また、再構成の柔軟性を制限することがあるということである（例えば、ネットワークはキャリアコンポーネントに対して、任意のセル順序または周波数順序ではなく、特定のＣＩＦ値を割り当てることを必要とする場合がある）。この解決策の別の欠点は、進化型ＮｏｄｅＢ（ｅＮＢ）とＵＥとの間のキャリアコンポーネントのＣＩＦに、同期の潜在的な損失が起こることがあるということである。例えば、プライマリセルインデックス割当ての１つの可能性は、プライマリセルに対するデフォルト値を予約することである。したがって、現行のプライマリセルが新しいセカンダリセルに変化する再構成によるプライマリセル変更の場合、プライマリセルのセルインデックスを変更する必要があり、そのＣＩＦもこの暗黙的な解決策に従って変更されるべきであり、それによって、ｅＮＢとＵＥとの間のキャリアコンポーネントのＣＩＦ値が不一致になる可能性が生じる。加えて、この暗黙的な割当て方法はさらに、ＣＩＦとセルインデックスまたは周波数情報との間の特定のマッピング戦略を定義しなければならず、それによって、仕様の複雑性の増大が引き起こされる。
【発明の概要】
【発明が解決しようとする課題】
【０００５】
従来技術における上述の問題を解決するために、本発明は、ＣＩＦを割り当てることによって、基地局とユーザ機器との間のキャリアコンポーネントをスケジューリングする解決策を提供する。
【課題を解決するための手段】
【０００６】
本発明の一実施形態では、基地局において、ユーザ機器のキャリアコンポーネントをスケジューリングする方法が提供される。この方法は、ユーザ機器のセルを構成するための構成メッセージを送信するステップであって、構成メッセージが各セルのキャリア識別のためのそれぞれの第１の情報を含む、ステップを含む。
【０００７】
本発明の別の実施形態では、基地局において、ユーザ機器のキャリアコンポーネントをスケジューリングする方法が提供される。この方法は、ユーザ機器のハンドオーバのためのハンドオーバ・コマンドを送信するステップであって、ハンドオーバ・コマンドが、それぞれのセルの、キャリア識別に利用される第１の情報を搬送する情報要素を含む、ステップを含む。
【０００８】
本発明のさらに別の実施形態では、基地局において、ユーザ機器のキャリアコンポーネントをスケジューリングする方法が提供される。この方法は、ユーザ機器のプライマリセル変更に関連するＲＲＣレイヤメッセージを送信するステップであって、ＲＲＣレイヤメッセージが、セルのキャリア識別を示す第１の情報と、そのセルによってサービス提供される１つまたは複数のセルの１つまたは複数のインデックスを示す第２の情報およびそのセルにサービス提供するセルのインデックスを示す第３の情報のうちの少なくとも１つとを含む、ステップを含む。
【０００９】
本発明によって提供される技術的な解決策は、キャリアコンポーネント構成の柔軟性を保証し、特定のＣＩＦマッピング戦略の必要性を回避し、仕様の複雑性を低減することができる。
【００１０】
本発明の他の特徴、目的および利点は、添付の図面を参照しながら、非限定的な実施形態の以下の詳細な説明を読めば、より明らかとなろう。
【図面の簡単な説明】
【００１１】
【図１】本発明の一実施形態によるシステムを示すブロック図である。
【図２】本発明の一実施形態によるキャリアコンポーネントのペアの情報要素を示す構造図である。
【図３】本発明の一実施形態による、基地局において、ユーザ機器のキャリアコンポーネントをスケジューリングする方法を示す流れ図である。
【図４】本発明の別の実施形態による、基地局において、ユーザ機器のキャリアコンポーネントをスケジューリングする方法を示す流れ図である。
【図５】本発明のさらに別の実施形態による、基地局において、ユーザ機器のキャリアコンポーネントをスケジューリングする方法を示す流れ図である。
【発明を実施するための形態】
【００１２】
図面全体を通して、同一または類似の参照符号は、対応する機能を指す。
【００１３】
本発明では、いくつかの用語を以下のように定義する。
セル：基地局とユーザ機器との間のダウンリンク／アップリンク・キャリアコンポーネントのペア。
プライマリセル：ダウンリンク／アップリンク・プライマリキャリアコンポーネントのペア。
セカンダリセル：ダウンリンク／アップリンク・セカンダリキャリアコンポーネントのペア。
【００１４】
図１は、本発明の一実施形態によるシステムを示すブロック図である。示されるように、モバイル通信システムは、基地局１０およびユーザ機器２０を含む。示されるように、１つのプライマリセルおよび１つまたは複数のセカンダリセルは、基地局１０とユーザ機器２０との間に含まれる。
【００１５】
図２は、本発明の一実施形態によるキャリアコンポーネントのペアの情報要素を示す構造図である。通常、示される情報要素は、セルの構成を示すいくつかの制御メッセージにおいて、それぞれのセルに割り当てられる。第１の情報は、ＣＩＦ情報、すなわち、キャリア識別のための情報を搬送するために利用される。第２の情報は、ある特定のセルがサービス提供することを意図している１つまたは複数のセカンダリセルの１つまたは複数のセルインデックスを示すために利用される。また、第３の情報は、ある特定のセルにサービス提供するセルのセルインデックスを示すために利用される。第２の情報および第３の情報は、自己スケジューリングセルの構成には無効である。第２の情報および第３の情報は、クロススケジューリングセルの構成のみに必要となる。また、当業者は、図２に示される情報要素構造が、限定的なものではなく例示的なものであること、また、異なる実施態様では、情報要素における第１の情報、第２の情報、および第３の情報が、特定の用途の要件に応じて、任意の置換および組合せを用い得ることを理解することができる。ここではＣＩＦはそれぞれのセルにおいて定義されるので、ＳＩＢ２によってリンクされたセルのダウンリンク／アップリンク・キャリアコンポーネントは、同じＣＩＦを共有する。したがって、それぞれのセルに対して１つのみの情報要素が必要となり、ダウンリンク・キャリアコンポーネントおよびアップリンク・キャリアコンポーネントに対して情報要素を別々に設計する必要がない。このことは、キャリアコンポーネント管理メッセージのサイズを最適化するのに役立つ。
【００１６】
図３は、本発明の一実施形態による、基地局において、ユーザ機器のキャリアコンポーネントをスケジューリングする方法を示す流れ図である。図１〜図３に関連して、以下のように説明する。
【００１７】
示されるように、この方法の流れ図は、ステップＳ１１を含む。
【００１８】
基地局１０がユーザ機器２０のキャリアコンポーネントをスケジューリングするとき、ステップＳ１１において、基地局１０は、ユーザ機器２０のセルを構成するための構成メッセージを送信し、構成メッセージは、各セルのキャリア識別のためのそれぞれの第１の情報を含む。
【００１９】
ある特定のセルの第１の情報の値に基づいて、ユーザ機器２０は、リソースがこのセルに割り当てられているかまたは１つもしくは複数の他のセルに割り当てられているかを知ることができる。このセル自体へのリソース割当ては、自己スケジューリングに対応し、１つまたは複数の他のセルへのリソース割当ては、クロススケジューリングに対応する。具体的には、第１の情報は、３ビットを用いて、対応するリソースがどのセルに属するかを示すことができる。
【００２０】
プライマリセルが１つまたは複数の他のセカンダリセルにサービス提供するように構成される場合、プライマリセルの第１の情報は必須であり、そうでない場合、プライマリセルの第１の情報はなくてもよい。したがって、そのセットアップ手順の間、プライマリセルのＣＩＦ値を割り当てる必要はない。その理由は、プライマリセルのセットアップがＬＴＥ−Ａリリース−８ＲＲＣ接続セットアップ手順に基づいているからであり、したがって、第１の情報などの新しい情報要素をプライマリセルセットアップ手順に導入することなく、システムの後方互換性を保証することができる。
【００２１】
本発明の一実施形態では、プライマリセルを再構成するための、基地局１０からユーザ機器２０に送信された構成メッセージは、プライマリセルの第１の情報および第２の情報を含む。第１の情報は、対応するリソースがプライマリセルに属することを示す、プライマリセルのキャリア識別を含む。また、第２の情報は、プライマリセルがサービス提供することを意図している１つまたは複数のセカンダリセルの１つまたは複数のセルインデックスを示すために利用される。
【００２２】
本発明の一実施形態では、セカンダリセルを追加するまたは更新するための、基地局１０からユーザ機器２０に送信された構成メッセージは、セカンダリセルの第１の情報と、セカンダリセルの第２の情報および第３の情報のうちの少なくとも１つとを含む。第１の情報は、セカンダリセルがクロススケジューリングセルであることを示すために利用される。セカンダリセルが１つまたは複数の他のセカンダリセルにサービス提供することを意図しているとき、構成メッセージは、そのセカンダリセルがサービス提供することを意図しているその１つまたは複数の他のセカンダリセルの１つまたは複数のセルインデックスを示す、セカンダリセルの第２の情報をさらに含む。セカンダリセルが１つまたは複数の他のセルによってサービス提供されるとき、構成メッセージは、そのセカンダリセルにサービス提供するその１つまたは複数の他のセルの１つまたは複数のセルインデックスを示す、セカンダリセルの第３の情報をさらに含む。第３の情報が空である場合、セカンダリセルはそれ自体のダウンリンク・キャリアコンポーネントによってスケジューリングされる。第２の情報が空である場合、セカンダリセルは１つまたは複数の他のセカンダリセルにサービス提供しない。また、第２の情報と第３の情報の両方が空である場合、第１の情報はなくてもよい。
【００２３】
上記の説明によれば、プライマリセルの第１の情報の割当ては、以下の選択肢によって達成され得る。
選択肢１：プライマリセルに対するデフォルトの第１の情報値が予約される。
選択肢２：プライマリセルが１つまたは複数の他のセカンダリセルにサービス提供するように構成されるとき、プライマリセルの第１の情報は、プライマリセルを再構成するために使用される構成メッセージにおいて割り当てられる。
選択肢３：プライマリセルが１つまたは複数の他のセカンダリセルにサービス提供するように構成されるとき、プライマリセルの第１の情報は、１つまたは複数のセカンダリセルを追加するまたは更新するために使用される構成メッセージにおいて割り当てられる。
【００２４】
また、セカンダリセルの第１の情報の割当ては、以下の選択肢によって達成され得る。
選択肢１：セカンダリセルが追加されるとき、セカンダリセルの第１の情報は、そのセカンダリセルを追加するために使用される構成メッセージにおいて割り当てられる。
選択肢２：セカンダリセルが１つまたは複数の他のセカンダリセルにサービス提供するように構成されるとき、セカンダリセルの第１の情報は、そのセカンダリセルを更新するために使用される構成メッセージにおいて割り当てられる。
選択肢３：１つまたは複数の他のセル（プライマリセルまたは１つもしくは複数の他のセカンダリセル）がセカンダリセルにサービス提供するように構成されるとき、セカンダリセルの第１の情報は、その１つまたは複数の他のセルに関連する構成メッセージにおいて割り当てられる。
【００２５】
１つまたは複数の他のセカンダリセルにサービス提供するようにプライマリセルを構成するために使用される場合があるプライマリセル再構成メッセージの場合、２つのタイプの情報要素が必要となる。
第１の情報は、プライマリセルのＣＩＦ値を割り当てるために利用される。
第２の情報は、プライマリセルがサービス提供することを意図している１つまたは複数のセカンダリセルのリストを識別するために利用され、このリストは、プライマリセルがサービス提供することを意図している１つまたは複数のセカンダリセルのインデックス情報を含む。
【００２６】
第２の情報が空である場合、第１の情報も空であることがある。
【００２７】
新しいセカンダリセルを追加するまたは現在構成されているセカンダリセルを再構成するために使用されるセカンダリセル追加／更新メッセージの場合、以下の情報要素が必要となる。
第１の情報は、セカンダリセルのＣＩＦ値を割り当てるために利用される。セカンダリセルのＣＩＦが前もって割り当てられている場合、またはセカンダリセルがそれ自体によってスケジューリングされ、いかなる他のセカンダリセルにもサービス提供しない場合、第１の情報は空であることがある。
第２の情報は、セカンダリセルがサービス提供することを意図している１つまたは複数の他のセカンダリセルのリストを識別するために利用される。
第３の情報は、セカンダリセルによってスケジューリングされた１つまたは複数のダウンリンク・キャリアコンポーネントの情報、すなわち、プライマリセルまたは１つもしくは複数のセカンダリセルの１つまたは複数のセルインデックスを含む、セカンダリセルにサービス提供する１つまたは複数のダウンリンク・キャリアコンポーネントの情報を識別するために利用される。第３の情報が空である場合、セカンダリセルはそれ自体によってスケジューリングされる。
第４の情報は、プライマリセルがセカンダリセルにサービス提供することを意図している場合、プライマリセルのＣＩＦ値を割り当てるために利用される。プライマリセルのＣＩＦが前もって割り当てられている場合、第４の情報要素は空であることがある。
【００２８】
したがって、セカンダリセルのＣＩＦは、以下の選択肢によって割り当てられ得る。
選択肢１：セカンダリセルのＣＩＦ値は、セカンダリセル追加メッセージにおいて割り当てられる。
選択肢２：セカンダリセルが１つまたは複数の他のセカンダリセルによってスケジューリングされるとき、セカンダリセルのＣＩＦ値は、セカンダリセル追加／更新メッセージにおいて割り当てられる。
選択肢３：セカンダリセルが１つまたは複数の他のセカンダリセルにサービス提供することを意図しているとき、セカンダリセルのＣＩＦ値は、セカンダリセル追加／更新メッセージにおいて割り当てられる。
選択肢４：プライマリセルがセカンダリセルにサービス提供することを意図しているとき、セカンダリセルのＣＩＦ値は、プライマリセル再構成メッセージにおいて割り当てられる。
【００２９】
図４は、本発明の別の実施形態による、基地局において、ユーザ機器のキャリアコンポーネントをスケジューリングする方法を示す流れ図である。図１〜図４に関連して、以下のように説明する。
【００３０】
図４に示されるように、この方法の流れ図は、ステップＳ２１を含む。
【００３１】
基地局１０がユーザ機器２０のキャリアコンポーネントをスケジューリングするとき、ステップＳ２１において、基地局１０は、ユーザ機器２０のハンドオーバのためのハンドオーバ・コマンドを送信し、ハンドオーバ・コマンドは、それぞれのセルの第１の情報を搬送する情報要素を含み、第１の情報は、キャリア識別に利用される。一般に、これは、ユーザ機器２０のアクセスサービスが別の基地局から基地局１０にハンドオーバされるシナリオに対応する。
【００３２】
本発明の一実施形態では、ユーザ機器２０のハンドオーバのための、基地局１０から送信されたハンドオーバ・コマンドは、クロススケジューリングセルの第１の情報を含む。また、１つまたは複数の残りのクロススケジューリングセルの第１の情報は、クロススケジューリングセルの第１の情報に従って推論できる。
【００３３】
ハンドオーバのシナリオでは、１つの重要な問題は、基地局がプライマリセルの情報および任意選択で１つまたは複数のセカンダリセルの情報を含み得るということである。一般に、ハンドオーバのシナリオにおけるＣＩＦ割当てには２つの選択肢がある。１つは、ハンドオーバ・コマンドにおいてＣＩＦ値を割り当てることであり、もう１つは、ハンドオーバ・コマンドの後かつ送信／受信操作の前にＣＩＦ値を割り当てることである。２番目の選択肢については、図３に示される実施形態における方法を用いて、ＣＩＦ値を割り当てることができる。
【００３４】
上記の１番目の選択肢については、以下の解決策によって、プライマリセルおよび１つまたは複数の構成されたセカンダリセルのＣＩＦを割り当てることができる。
【００３５】
プライマリセルおよびそれぞれの構成されたセカンダリセルの第１の情報の情報要素は、ハンドオーバ・コマンドに含まれる。
【００３６】
デフォルト値がプライマリセルのＣＩＦ値として用いられる場合、第１の情報要素は空であることがある。
【００３７】
プライマリセルが１つまたは複数の他のセカンダリセルにサービス提供するように構成されるとき、第１の情報要素は必須である。
【００３８】
構成されたセカンダリセルの場合、セカンダリセルが１つまたは複数の他のセル（１つもしくは複数のセカンダリセルまたはプライマリセル）によってスケジューリングされるとき、または１つもしくは複数の他のセカンダリセルにサービス提供することを意図しているとき、第１の情報要素は必須である。また、セカンダリセルが１つまたは複数の他のセルによってスケジューリングされず、１つまたは複数の他のセカンダリセルにサービス提供することも意図していないとき、第１の情報要素は空であることがある。
【００３９】
具体的には、１つのみのセルのＣＩＦ値を割り当てることができ、そのＣＩＦ値に従って、他のセルのＣＩＦ値を算出することができる。
【００４０】
より具体的には、ハンドオーバ・コマンドは、プライマリセルのみの第１の情報要素をそのＣＩＦ値割当てのために含むことができる。また、プライマリセルのＣＩＦ値に従って、他の構成されたセカンダリセルのＣＩＦ値を算出することができる。
【００４１】
あるいは、ハンドオーバ・コマンドは、第１のセカンダリセルのみの第１の情報要素をそのＣＩＦ値割当てのために含むことができる。また、第１のセカンダリセルのＣＩＦ値に従って、プライマリセルおよび他の構成されたセカンダリセルのＣＩＦ値を算出することができる。
【００４２】
プライマリセルが１つまたは複数の他のセカンダリセルにサービス提供するように構成されるとき、ハンドオーバ・コマンドは、プライマリセルがサービス提供することを意図している１つまたは複数の構成されたセカンダリセルのリストを含む、プライマリセルのセカンダリ情報要素をさらに含む。
【００４３】
セカンダリセルが１つまたは複数の他のセカンダリセルにサービス提供するように構成されるとき、ハンドオーバ・コマンドは、セカンダリセルがサービス提供することを意図している１つまたは複数の他のセカンダリセルを示す、セカンダリセルのセカンダリ情報要素をさらに含む。
【００４４】
ある特定のセルが１つまたは複数の他のセルによってスケジューリングされるように構成されるとき、ハンドオーバ・コマンドは、そのスケジューリングセルを示す、セカンダリセルの第３の情報要素をさらに含む。
【００４５】
ＣＩＦ割当ての設計に関連する別の重要な問題は、ハンドオーバなしのプライマリセル変更である。図５は、本発明のさらに別の実施形態による、基地局において、ユーザ機器のキャリアコンポーネントをスケジューリングする方法を示す流れ図である。図１〜図５に関連して、以下のように説明する。
【００４６】
図５に示されるように、この方法の流れ図は、ステップＳ３１を含む。
【００４７】
基地局１０がユーザ機器２０のキャリアコンポーネントをスケジューリングするとき、ステップＳ３１において、基地局１０は、ユーザ機器２０のプライマリセル変更に関連するＲＲＣレイヤメッセージを送信する。ＲＲＣレイヤメッセージは、セルのキャリア識別を示す第１の情報と、そのセルによってサービス提供される１つまたは複数のセルの１つまたは複数のインデックスを示す第２の情報およびそのセルにサービス提供するセルのインデックスを示す第３の情報のうちの少なくとも１つとを含む。
【００４８】
本発明の一実施形態では、ユーザ機器２０のクロススケジューリング・プライマリセルは、新たに構成されたセカンダリセルに変更され、ユーザ機器２０のプライマリセル変更に関連する、基地局１０によって送信されたＲＲＣレイヤメッセージは、新たに構成されたセカンダリセルのキャリア識別を示す第１の情報と、その新たに構成されたセカンダリセルによってサービス提供される１つまたは複数のセルの１つまたは複数のインデックスを示す第２の情報およびその新たに構成されたセカンダリセルにサービス提供するセルのインデックスを示す第３の情報のうちの少なくとも１つとを含む。
【００４９】
新たに構成されたセカンダリセルのＣＩＦが前もって割り当てられている場合、そのＣＩＦを再利用することができ、第１の情報要素はなくてもよい。
【００５０】
新たに構成されたセカンダリセルがそれ自体によってスケジューリングされ、いかなる他のセカンダリセルもスケジューリングしない場合、第１の情報要素は空であることがある。言い換えれば、新たに構成されたセカンダリセルは、クロススケジューリング機能を用いて構成されていない。
【００５１】
本発明の一実施形態では、ユーザ機器２０のクロススケジューリング・セカンダリセルは新しいプライマリセルに変更され、ユーザ機器２０のプライマリセル変更に関連する、基地局１０によって送信されたＲＲＣレイヤメッセージは、新しいプライマリセルのキャリア識別を示す、新しいプライマリセルの第１の情報と、その新しいプライマリセルによってサービス提供される１つまたは複数のセルの１つまたは複数のインデックスを示す、プライマリセルの第２の情報とを含む。
【００５２】
デフォルト値が用いられない限り、新しいプライマリセルの第１の情報要素は、新しいプライマリセルのＣＩＦを割り当てるために利用される。
【００５３】
本発明の一実施形態では、ユーザ機器２０の新たに構成されたセルは、新しいプライマリセルに変更され、ユーザ機器２０のプライマリセル変更に関連する、基地局１０によって送信されたＲＲＣレイヤメッセージは、新しいプライマリセルのキャリア識別を示す、新しいプライマリセルの第１の情報と、その新しいプライマリセルによってサービス提供される１つまたは複数のセルの１つまたは複数のインデックスを示す、新しいプライマリセルの第２の情報とを含む。
【００５４】
新しいプライマリセルのＣＩＦが前もって割り当てられている変形形態の例では、セルは前もって割り当てられたＣＩＦを再利用することができ、上記のＲＲＣレイヤメッセージにおける第１の情報は空であることがある。
【００５５】
本発明の一実施形態では、それぞれのセルの情報要素は、対応するセルの第１の情報が必須か任意選択かを示す第４の情報を含む。当業者は、基地局１０が、第４の情報を、ユーザ機器２０のセルを構成するために利用される上述の構成メッセージ、ユーザ機器２０のハンドオーバのためのハンドオーバ・コマンド、およびユーザ機器２０のプライマリセル変更に関連するＲＲＣレイヤメッセージに追加してもよいことを理解することができる。
【００５６】
ユーザ機器２０によって受信された第４の情報が、対応する第１の情報が必須であることを示すとき、ユーザ機器２０は、ＰＤＣＣＨ上の対応する第１の情報を監視し、監視された第１の情報に従って、対応するセルのＣＩＦ値を構成するまたは更新する。
【００５７】
ユーザ機器２０によって受信された第４の情報が、対応する第１の情報が任意選択であることを示すとき、ユーザ機器２０は、同じダウンリンクフレームにおける第１の情報を監視しなくてもよい。
【００５８】
本発明の一実施形態では、ＣＩＦ割当ては、全ての構成されたセルにおいて有効である。言い換えれば、それぞれのセルのＣＩＦは、全ての構成されたセルのなかで一意のものであるべきであり、ＣＩＦの耐用期間は、セルが解放されるまで有効である。この選択肢の利点は、ダウンリンク・キャリアコンポーネント再構成がスケジューリングされるとき、他のＣＩＦを割り当てる必要がなく、それによって、対応するＲＲＣレイヤメッセージが低減されるということである。
【００５９】
本発明の別の実施形態では、ＣＩＦ割当ては、同じダウンリンク・キャリアコンポーネントによってスケジューリングされたセルにおいて有効である。言い換えれば、それぞれのセルのＣＩＦは同じダウンリンク・キャリアコンポーネントによってスケジューリングされたセルのなかで一意のものである。ＣＩＦの耐用期間は、スケジューリング・ダウンリンク・キャリアコンポーネントが再構成されるまで継続する。これは、セルのスケジューリング・ダウンリンク・キャリアコンポーネントが再構成されるとき、同じダウンリンク・キャリアコンポーネントによってスケジューリングされた他のセルとの衝突を回避するために、そのＣＩＦを再構成しなければならないということを意味する。
【００６０】
当業者は、上記の実施形態が限定的なものではなく例示的なものであることを理解することができる。大胆な（ａｄｖｅｎｔｕｒｏｕｓ）効果を実現するために、異なる実施形態における異なる技術的な特徴の組合せを行うことができる。当業者は、図面、開示、および添付の特許請求の範囲を研究することにより、開示された実施形態に対する他の変形形態を理解し、実施することができる。特許請求の範囲では、任意の形の「備える（ｃｏｍｐｒｉｓｅ）」という語は他の要素またはステップを除外せず、不定冠詞「ａ」または「ａｎ」は複数を除外せず、「第１の（ｆｉｒｓｔ）」および「第２の（ｓｅｃｏｎｄ）」という語は名称を識別するために利用され、任意の特定の順序を意味するものではない。特許請求の範囲におけるあらゆる参照符号は、範囲を限定するものと解釈されるべきではない。単一のハードウェアまたはソフトウェアモジュールは、特許請求の範囲に記載されたいくつかの項目の機能を実現することができる。特定の技術的な特徴が互いに依存する異なる請求項に記載されているという単なる事実は、大胆な効果を実現するためにこれらの特徴の組合せを行うことができないということを示すものではない。
【図１】
2013537768.tif 000003
【図２】
2013537768.tif 000004
【図３】
2013537768.tif 000005
【図４】
2013537768.tif 000006
【図５】
2013537768.tif 000007
【国際調査報告】
2013537768.tif 000008
2013537768.tif 000009
2013537768.tif 000010
2013537768.tif 000011
2013537768.tif 000012
2013537768.tif 000013